(57)【要約】【課題】本発明は、耐湿性の良い発光素子について提供することを課題とする。また、本発明は、耐湿性が良く、白色光を呈することのできる発光素子を提供することを課題とする。【解決手段】本発明の発光素子の一は、第１の電極と第２の電極との間に、ｎ（ｎは自然数）個の発光層を有する。そして、ｍ（ｍは自然数、１≦ｍ≦ｎ）番目の発光層と  ｍ＋１番目の発光層との間には、第１の層と第２の層とを有する。また、第１の層と第２の層とは接している。ここで、第１の層は、正孔を輸送し易い物質と電子受容性の物質とを含む層である。また第２の層は、電子を輸送し易い物質と電子供与性の物質とを含む層である。そして、モリブデン酸化物を電子供与性の物質として用いていることを特徴としている。【選択図】図１
2010192465.tif 000002
【特許請求の範囲】
【請求項１】
第１の電極と第２の電極との間に、ｎ（ｎは２以上の自然数）個の発光層を有し、
ｍ（ｍは自然数、１≦ｍ≦ｎ−１）番目の発光層と、ｍ＋１番目の発光層との間には、正孔輸送性の物質とモリブデン酸化物とを含む第１の層と、電子輸送性の物質と電子供与性の物質とを含む第２の層と、を有し、
前記ｍ番目の発光層における発光スペクトルのピーク波長と、前記ｍ＋１番目の発光層における発光スペクトルのピーク波長とは波長が異なることを特徴とする発光素子。
【請求項２】
請求項１において、前記ｍ番目の発光層における発光スペクトルのピーク波長よりも、前記ｍ＋１番目の発光層における発光スペクトルのピーク波長の方が波長が小さいことを特徴とする発光素子。
【請求項３】
請求項１又は請求項２において、前記第１の電極に高電圧を印加し、前記第２の電極に低電圧を印加したとき、前記第１の層から前記ｍ＋１番目の発光層に正孔が注入され、前記第２の層から前記ｍ番目の発光層に電子が注入されることを特徴とする発光素子。
【請求項４】
請求項１乃至請求項３のいずれか一において、前記ｍ番目の発光層及び前記ｍ＋１番目の発光層により白色発光を呈することを特徴とする発光素子。
【請求項５】
第１の電極と第２の電極との間に、第１の発光層及び第２の発光層を有し、
前記第１の発光層と前記第２の発光層との間には、正孔輸送性の物質とモリブデン酸化物とを含む第１の層と、電子輸送性の物質と電子供与性の物質とを含む第２の層と、を有し、
前記第１の発光層における発光スペクトルのピーク波長と、前記第２の発光層における発光スペクトルのピーク波長とは波長が異なることを特徴とする発光素子。
【請求項６】
請求項５において、前記第１の発光層における発光スペクトルのピーク波長よりも、前記第２の発光層における発光スペクトルのピーク波長の方が波長が小さいことを特徴とする発光素子。
【請求項７】
請求項５又は請求項６において、前記第１の電極に高電圧を印加し、前記第２の電極に低電圧を印加したとき、前記第１の層から前記第２の発光層に正孔が注入され、前記第２の層から前記第１の発光層に電子が注入されることを特徴とする発光素子。
【請求項８】
請求項５乃至請求項７のいずれか一において、前記第１の発光層及び前記第２の発光層により白色発光を呈することを特徴とする発光素子。
【請求項９】
第１の電極と第２の電極との間に、第１の発光層、第２の発光層及び第３の発光層を有し、
前記第１の発光層と前記第２の発光層との間、及び前記第２の発光層と前記第３の発光層との間には、正孔輸送性の物質とモリブデン酸化物とを含む第１の層と、電子輸送性の物質と電子供与性の物質とを含む第２の層と、をそれぞれ有し、
前記第１の発光層における発光スペクトルのピーク波長と、前記第２の発光層における発光スペクトルのピーク波長とは波長が異なり、
前記第２の発光層における発光スペクトルのピーク波長と、前記第３の発光層における発光スペクトルのピーク波長とは波長が異なることを特徴とする発光素子。
【請求項１０】
請求項９において、前記第１の発光層における発光スペクトルのピーク波長よりも、前記第２の発光層における発光スペクトルのピーク波長の方が波長が小さく、
前記第２の発光層における発光スペクトルのピーク波長よりも、前記第３の発光層における発光スペクトルのピーク波長の方が波長が小さいことを特徴とする発光素子。
【請求項１１】
請求項９又は請求項１０において、前記第１の電極に高電圧を印加し、前記第２の電極に低電圧を印加したとき、
前記第１の発光層と前記第２の発光層との間の、前記第１の層から前記第２の発光層に正孔が注入され、前記第２の層から前記第１の発光層に電子が注入され、
前記第２の発光層と前記第３の発光層との間の、前記第１の層から前記第３の発光層に正孔が注入され、前記第２の層から前記第２の発光層に電子が注入されることを特徴とする発光素子。
【請求項１２】
請求項９乃至請求項１１のいずれか一において、前記第１の発光層、前記第２の発光層及び第３の発光層により白色発光を呈することを特徴とする発光素子。
【請求項１３】
第１の電極と、前記第１の電極よりも光の反射率が高い第２の電極との間に、ｎ（ｎは２以上の自然数）個の発光層を有し、
ｍ（ｍは自然数、１≦ｍ≦ｎ−１）番目の発光層とｍ＋１番目の発光層との間には、
正孔輸送性の物質と電子受容性の物質とを含む第１の層と、
前記第１の層と接し、電子輸送性の物質と電子供与性の物質とを含む第２の層と、を有し、
前記ｍ番目の発光層における発光スペクトルのピーク波長よりも、前記ｍ＋１番目の発光層における発光スペクトルのピーク波長の方が波長が小さく、
前記ｍ＋１番目の発光層は、前記ｍ番目の発光層より前記第２の電極側に設けられていることを特徴とする発光素子。
【請求項１４】
請求項１乃至請求項１３のいずれか一において、前記正孔輸送性の物質は芳香族アミン系の物質であることを特徴とする発光素子。
【請求項１５】
請求項１乃至請求項１４のいずれか一において、前記正孔輸送性の物質はベンゼン環−窒素の結合を有する物質であることを特徴とする発光素子。
【請求項１６】
請求項１乃至請求項１５のいずれか一において、前記電子輸送性の物質はキノリン骨格又はベンゾキノリン骨格を有する金属錯体であることを特徴とする発光素子。
【請求項１７】
請求項１乃至請求項１６のいずれか一において、前記電子供与性の物質はアルカリ金属、アルカリ金属の酸化物、アルカリ金属の窒化物、アルカリ土類金属、アルカリ土類金属の酸化物又はアルカリ土類金属の窒化物であることを特徴とする発光素子。
【請求項１８】
請求項１乃至請求項１７のいずれか一に記載の発光素子を含む発光装置。
【請求項１９】
請求項１８に記載の前記発光装置を有する照明機器。
【発明の詳細な説明】
【技術分野】
【０００１】
本発明は一対の電極間に発光層を有する発光素子に関し、特に発光素子の層構造に関す
る。
【背景技術】
【０００２】
エレクトロルミネッセンス素子（発光素子）からの発光を利用した発光装置は、広視野
角、低消費電力である。近年、発光装置の開発分野では、テレビ受像機やカーナビゲーシ
ョンを初めとする各種情報処理機器に適用される表示装置としての市場を得るべく、高品
質な画像を、長期に渡って提供できる発光装置の研究開発が盛んに行われている。
【０００３】
高品質な画像を、長期に渡って提供できるような発光装置を得るためには、長寿命な発
光素子や、効率良く発光する発光素子の開発が重要になって来る。
【０００４】
例えば、特許文献１では、複数の発光ユニットを有し、各発光ユニットが電荷発生層に
よって仕切られている発光素子に関する技術について開示されている。そして、特許文献
１に記載の発明によれば、高輝度、高寿命の発光素子を提供できると記載されている。し
かし、特許文献１で用いられている５酸化バナジウムは、吸湿性が高い。その為、５酸化
バナジウムが吸収した水分に起因して、発光素子が劣化する恐れがある。そして、発光素
子の劣化は、発光装置においては、画質の低下を招く。
【０００５】
このように、発光装置の開発においては、高輝度な発光素子の他、耐湿性の高い発光素
子を作製することも重要となってくる。
【先行技術文献】
【特許文献】
【０００６】
【特許文献１】特開２００３−２７２８６０号公報
【発明の概要】
【発明が解決しようとする課題】
【０００７】
本発明は、耐湿性の良い発光素子について提供することを課題とする。また、本発明は
、耐湿性が良く、白色光を呈することのできる発光素子を提供することを課題とする。
【課題を解決するための手段】
【０００８】
本発明の発光素子の一は、電子受容性の物質を含む層を有する。そして電子受容性の物
質としてモリブデン酸化物を用いていることを特徴としている。
【０００９】
本発明の発光素子の一は、第１の電極と第２の電極との間に、ｎ（ｎは自然数）個の発
光層を有する。そして、ｍ（ｍは自然数、１≦ｍ≦ｎ−１）番目の発光層とｍ＋１番目の
発光層との間には、第１の層と第２の層とを有する。また、第１の層と第２の層とは接し
ている。ここで、第１の層は、正孔を輸送し易い物質と電子受容性の物質とを含む層であ
る。また第２の層は、電子を輸送し易い物質と電子供与性の物質とを含む層である。そし
て、モリブデン酸化物を電子受容性の物質として用いていることを特徴としている。
【００１０】
本発明の発光素子の一は、第１の層と、第２の層と、発光層とを含む層群を、一対の電
極間にｎ（ｎは自然数）個有する。なお、第１の層は、正孔を輸送し易い物質と電子受容
性の物質とを含む層である。また、第２の層は、電子を輸送し易い物質と電子供与性の物
質とを含む層である。そして、ｎ個の層群は、ｍ（ｍは自然数、１≦ｍ≦ｎ−１）番目の
層群に含まれる第１の層と、ｍ＋１番目の群に含まれる第２の層とが接するように積み重
なっていることを特徴としている。
【００１１】
本発明の発光素子の一は、第１の電極と第２の電極との間に、ｎ（ｎは自然数）個の発
光層を有する。なお、第２の電極は第１の電極よりも光を反射し易い。また、ｍ（ｍは自
然数、１≦ｍ≦ｎ−１）番目の発光層とｍ＋１番目の発光層との間には、第１の層と第２
の層とを有する。なお、第１の層と第２の層とは接している。また、第１の層は、正孔を
輸送し易い物質と電子受容性の物質とを含む層である。また、第２の層は、電子を輸送し
易い物質と電子供与性の物質とを含む層である。ここで、ｍ番目の発光層における発光ス
ペクトルのピーク波長よりも、ｍ＋１番目の発光層における発光スペクトルのピーク波長
の方が小さい波長を示す。そして、ｎ個の発光層は、ｍ番目の発光層よりもｍ＋１番目の
発光層のほうが第２の電極との距離が近くなるように設けられていることを特徴としてい
る。
【００１２】
本発明の発光素子の一は、第１の電極と第２の電極との間に、ｎ（ｎは自然数）個の発
光層を有する。なお、第２の電極は第１の電極よりも光を反射し易い。また、ｍ（ｍは自
然数、１≦ｍ≦ｎ−１）番目の発光層とｍ＋１番目の発光層との間には、第１の層と第２
の層とを有する。なお、第１の層と第２の層とは接している。また、第１の層は、正孔を
輸送し易い物質と電子受容性の物質とを含む層である。また、第２の層は、電子を輸送し
易い物質と電子供与性の物質とを含む層である。そしてｎ個の発光層は、発光スペクトル
のピーク波長が小さい波長を示す発光層程、第２の電極との距離が近くなるように設けら
れていることを特徴としている。
【発明の効果】
【００１３】
本発明によって、水分の混入に起因した発光素子の劣化が少なく、耐湿性の良い発光素
子を得ることができる。また、本発明によって、白色の発光を呈することができる。さら
に、本実施例の発光素子は、発光した光と反射光との干渉が少ない為、発光した光の色度
の調整をし易い。
【図面の簡単な説明】
【００１４】
【図１】本発明の発光素子について説明する図。
【図２】本発明の発光素子について説明する図。
【図３】本発明を適用した発光装置について説明する図。
【図４】本発明を適用した発光装置に含まれる回路について説明する図。
【図５】本発明を適用した発光装置の上面図。
【図６】本発明を適用した発光装置のフレーム動作について説明する図。
【図７】本発明を適用した発光装置の断面図。
【図８】本発明を適用した電子機器の図。
【図９】本発明の発光素子について説明する図。
【図１０】本発明の発光素子の発光スペクトルを示す図。
【図１１】モリブデン酸化物とα−ＮＰＤの混合層についての透過スペクトルを示す図。
【発明を実施するための形態】
【００１５】
以下、本発明の一態様について図面等を用いながら説明する。但し、本発明は多くの異
なる態様で実施することが可能であり、本発明の趣旨及びその範囲から  逸脱することな
くその形態及び詳細を様々に変更し得ることは当業者であれば容易に理解される。従って
、本実施の形態の記載内容に限定して解釈されるものではない。
【００１６】
（実施の形態１）
図１において、第１の電極１０１と第２の電極１０２との間には、正孔を輸送し易い物
質と電子受容性の物質とを含んで成る第１の層１０３と、電子を輸送し易い物質と電子供
与性の物質とを含んで成る第２の層１０４とを有する。そして、第１の層１０３と第２の
層１０４とは接し、積層している。なお、正孔を輸送し易い物質と電子受容性の物質とを
含んで成る第１の層１０３では正孔が生成され、電子を輸送し易い物質と電子供与性の物
質とを含んで成る第２の層１０４では電子が生成される。
【００１７】
そして、第１の電極１０１と第１の層１０３との間には第１の発光層１１１を有する。
また第２の電極１０２と第２の層１０４との間には第２の発光層１２１を有する。
【００１８】
なお、本実施の形態において、第１の電極１０１は陽極として機能する電極であり、第
２の電極１０２は陰極として機能する電極である。また第１の電極１０１と第２の電極１
０２のうち、いずれか一または両方の電極は、可視光を透過し易いものであることが好ま
しい。
【００１９】
第１の電極１０１について特に限定はないが、本形態のように陽極として機能するとき
は、インジウム錫酸化物、または酸化珪素を含むインジウム錫酸化物、酸化インジウムに
２〜２０％の酸化亜鉛を混合してなるインジウム亜鉛酸化物、酸化亜鉛に数％の酸化ガリ
ウムを混合して成る亜鉛ガリウム酸化物等の仕事関数の高い物質を用いて形成することが
好ましい。なお、ここで述べた仕事関数の高い物質から成る電極は、可視光を透過し易い
。
【００２０】
また、第２の電極１０２についても特に限定はないが、本形態のように陰極として機能
するときは、リチウム（Ｌｉ）またはマグネシウム等のアルカリ金属またはアルカリ土類
金属等を含んだアルミニウム等の仕事関数の低い物質を用いて形成することが好ましい。
【００２１】
また、正孔を輸送し易い物質について特に限定はなく、４，４’−ビス［Ｎ−（１−ナ
フチル）−Ｎ−フェニル−アミノ］−ビフェニル（略称：α−ＮＰＤ）や４，４’−ビス
［Ｎ−（３−メチルフェニル）−Ｎ−フェニル−アミノ］−ビフェニル（略称：ＴＰＤ）
や４，４’，４’’−トリス（Ｎ，Ｎ−ジフェニル−アミノ）−トリフェニルアミン（略
称：ＴＤＡＴＡ）、４，４’，４’’−トリス［Ｎ−（３−メチルフェニル）−Ｎ−フェ
ニル−アミノ］−トリフェニルアミン（略称：ＭＴＤＡＴＡ）などの芳香族アミン系（即
ち、ベンゼン環−窒素の結合を有する）の物質を用いることができる。
【００２２】
また、電子受容性の物質について特に限定はないが、モリブデン酸化物のような吸水性
の低い物質を用いることが好ましい。
【００２３】
また、電子を輸送し易い物質について特に限定はなく、トリス（８−キノリノラト）ア
ルミニウム（略称：Ａｌｑ3）、トリス（４−メチル−８−キノリノラト）アルミニウム
（略称：Ａｌｍｑ3）、ビス（１０−ヒドロキシベンゾ［ｈ］−キノリナト）ベリリウム
（略称：ＢｅＢｑ2）、ビス（２−メチル−８−キノリノラト）−４−フェニルフェノラ
ト−アルミニウム（略称：ＢＡｌｑ）など、キノリン骨格またはベンゾキノリン骨格を有
する金属錯体等を用いることができる。
【００２４】
また、電子供与性の物質について特に限定はなく、リチウム等のアルカリ金属またはマ
グネシウム等のアルカリ土類金属等を用いることができる。また、この他、酸化リチウム
等のアルカリ金属の酸化物、窒化リチウム等のアルカリ金属の窒化物、酸化マグネシウム
等のアルカリ土類金属の酸化物、窒化マグネシウム等のアルカリ土類金属の窒化物を用い
てもよい。
【００２５】
第１の発光層１１１および第２の発光層１２１は、それぞれ、発光物質を含む。ここで
、発光物質とは、発光効率が良好で、所望の発光波長の発光を呈し得る物質である。なお
、第１の発光層１１１に含まれる発光物質と第２の発光層１２１に含まれる発光物質とは
、それぞれ異なっていてもよい。また、第１の発光層１１１および第２の発光層１２１に
ついて特に限定はなく、それぞれの層は独立に、一種の物質から成る層であってもよいし
、または複数種の物質が混合して成る層であってもよい。例えば、第１の発光層１１１と
第２の発光層１２１とは、いずれか一若しくは両方が発光物質のみから成る層であっても
よいし、または、いずれか一若しくは両方が発光物質とその他の物質とが混合して成る層
であってもよい。発光物質と組み合わせて用いられる物質としては、発光物質のエネルギ
ーギャップよりも大きいエネルギーギャップを有する物質であることが好ましい。ここで
エネルギーギャップとはＬＵＭＯ準位とＨＯＭＯ準位との間のエネルギーギャップを言う
。
【００２６】
発光物質について特に限定はなく、例えば、赤色系の発光を得たいときには、４−ジシ
アノメチレン−２−イソプロピル−６−［２−（１，１，７，７−テトラメチルジュロリ
ジン−９−イル）エテニル］−４Ｈ−ピラン（略称：ＤＣＪＴＩ）、４−ジシアノメチレ
ン−２−メチル−６−［２−（１，１，７，７−テトラメチルジュロリジン−９−イル）
エテニル］−４Ｈ−ピラン（略称：ＤＣＪＴ）、４−ジシアノメチレン−２−ｔｅｒｔ−
ブチル−６−［２−（１，１，７，７−テトラメチルジュロリジン−９−イル）エテニル
］−４Ｈ−ピランやペリフランテン、２，５−ジシアノ−１，４−ビス［２−（１０−メ
トキシ−１，１，７，７−テトラメチルジュロリジン−９−イル）エテニル］ベンゼン等
、６００ｎｍから６８０ｎｍに発光スペクトルのピークを有する発光を呈する物質を用い
ることができる。また緑色系の発光を得たいときは、Ｎ，Ｎ’−ジメチルキナクリドン（
略称：ＤＭＱｄ）、クマリン６やクマリン５４５Ｔ、トリス（８−キノリノラト）アルミ
ニウム（略称：Ａｌｑ3）等、５００ｎｍから５５０ｎｍに発光スペクトルのピークを有
する発光を呈する物質を用いることができる。また、青色系の発光を得たいときは、９，
１０−ビス（２−ナフチル）−ｔｅｒｔ−ブチルアントラセン（略称：ｔ−ＢｕＤＮＡ）
９，９’−ビアントリル、９，１０−ジフェニルアントラセン（略称：ＤＰＡ）や９，１
０−ビス（２−ナフチル）アントラセン（略称：ＤＮＡ）、ビス（２−メチル−８−キノ
リノラト）−４−フェニルフェノラト−ガリウム（ＢＧａｑ）、ビス（２−メチル−８−
キノリノラト）−４−フェニルフェノラト−アルミニウム（ＢＡｌｑ）等、４２０ｎｍか
ら４８０ｎｍに発光スペクトルのピークを有する発光を呈する物質を用いることができる
。
【００２７】
以上に述べた発光素子において、第１の電極１０１と第２の電極１０２に電圧を印加し
たとき、第１の電極１０１から第１の発光層１１１へ正孔が注入され、第１の層１０３か
ら第１の発光層１１１へは電子が注入される。また、第２の電極１０２から第２の発光層
１２１へ正孔が注入され、第２の層１０４から第２の発光層１２１へは電子が注入される
。これによって、第１の発光層１１１と第２の発光層１２１とにおいて、正孔と電子とは
再結合し、発光物質は励起状態となる。そして、発光物質は、励起状態から基底状態へ戻
るときに発光する。
【００２８】
なお、第１の発光層１１１からの発光が呈する色と、第２の発光層１２１からの発光が
呈する色とが補色の関係にあるとき、発光素子から射出する発光は白色の発光として視認
される。ここで、第１の電極１０１と第２の電極１０２との光の反射率が異なり、さらに
、それぞれの発光層における発光の発光スペクトルのピーク波長（つまり、発光スペクト
ルを調べたときに、発光強度が最大値を示すときの波長。）が異なるとき、ピーク波長の
値が小さい発光層程、反射率の大きい電極に近くなるようにそれぞれの発光層を設けるこ
とが好ましい。なお、ピーク波長とは、複数のピークを有する発光スペクトルにおいては
発光強度のもっとも大きいピークを示す波長をいう。例えば、第１の電極１０１がインジ
ウム錫酸化物等で形成されていて可視光を透過し易く、第２の電極１０２がアルミニウム
等で形成されていて光を反射し易いときは、第１の電極１０１に最も近い第１の発光層１
１１が青色系の発光を呈する発光層であり、第２の電極１０２に最も近い第２の発光層１
２１が黄色系の発光を呈する発光層であることが好ましい。これによって、発光した光が
第２の電極１０２において反射することによって生じ得る、光の干渉を低減することがで
きる。
【００２９】
なお、第１の電極１０１と第１の層１０３との間には、本形態のように第１の発光層１
１１のみが設けられていてもよいし、または第１の発光層１１１の他、正孔輸送層等が設
けられていてもよい。また、第２の電極１０２と第２の層１０４との間には、本形態のよ
うに第２の発光層１２１のみが設けられていてもよいし、または第２の発光層１２１の他
、電子輸送層等が設けられていてもよい。
【００３０】
以上に説明した本発明の発光素子は、モリブデン酸化物のような吸水性の低い物質を用
いて作製されている為、水分の混入に起因した発光素子の劣化が少ない。また、本実施例
の発光素子は、白色の発光を呈することがでる。さらに、本実施例の発光素子は、発光し
た光と反射光との干渉が少ない為、発光した光の色度の調整をし易い。
【００３１】
（実施の形態２）
本実施の形態では、３つの発光層を含む本発明の発光素子について図２を用いて説明す
る。
【００３２】
図２において、第１の電極２０１と第２の電極２０２との間には、電子を輸送し易い物
質と電子供与性の物質とを含んで成る第１の層２０３、２０５、２０７と、正孔を輸送し
易い物質と電子受容性の物質とを含んで成る第２の層２０４、２０６、２０８を有する。
ここで、第２の層２０４は、第１の電極２０１に接するように設けられている。また、第
１の層２０７は、第２の電極２０２に接するように設けられている。また、第１の層２０
５と第２の層２０８とは接するように積層されている。また第１の層２０３と第２の層２
０６とは接するように積層されている。なお、電子を輸送し易い物質と電子供与性の物質
とを含んで成る第１の層２０３、２０５、２０７では電子が生成され、正孔を輸送し易い
物質と電子受容性の物質とを含んで成る第２の層２０４、２０６、２０８では正孔が生成
される。
【００３３】
本形態において、第１の電極２０１は陽極として機能する電極であり、第２の電極２０
２は陰極として機能する電極である。そして、第１の層２０３と第２の層２０４との間に
は、第１の発光層２１１を有し、第１の層２０５と第２の層２０６との間には、第２の発
光層２２１を有し、第１の層２０７と第２の層２０８との間には、第３の発光層２３１を
有する。第２の層２０４と第１の発光層２１１との間には正孔輸送層２１２、第２の層２
０６と第２の発光層２２１との間には正孔輸送層２２２、第２の層２０８と第３の発光層
２３１との間には正孔輸送層２３２を有する。ここで、正孔輸送層とは、発光層へ正孔を
輸送することができ、正孔を輸送し易い物質を含む層である。また、第１の層２０３と第
１の発光層２１１との間には電子輸送層２１３、第１の層２０５と第２の発光層２２１と
の間には電子輸送層２２３、第１の層２０７と第３の発光層２３１との間には電子輸送層
２３３を有する。ここで、電子輸送層とは、発光層へ電子を輸送することができ、電子を
輸送し易い物質を含む層である。このように正孔輸送層や電子輸送層を設けることによっ
て、発光層と金属を含む層とを離すことができ、金属に起因して生じる消光を阻止するこ
とができる。
【００３４】
正孔を輸送し易い物質、電子受容性の物質、電子を輸送し易い物質および電子供与性の
物質は、それぞれ実施の形態１において述べた物質と同じであり、実施の形態１で示した
ものを用いることができる。なお、本形態においても、電子受容性の物質としては、モリ
ブデン酸化物のような吸水性の低い物質を用いることが好ましい。
【００３５】
また、第１の電極２０１は陽極として機能し、第２の電極２０２は陰極として機能する
。従って、第１の電極２０１は、実施の形態１で述べた第１の電極１０１と同様に仕事関
数の高い物質を用いて形成することが好ましい。また、第２の電極２０２についても、実
施の形態１で述べた第２の電極１０２と同様に仕事関数の小さい物質を用いて形成するこ
とが好ましい。また、第１の電極２０１と第２の電極２０２のいずれか一または両方は、
可視光を透過し易いものであることが好ましい。
【００３６】
また、正孔輸送層２１２、２２２、２３２は、それぞれ、正孔を輸送し易い物質を含む
層である。正孔輸送層２１２、２２２、２３２について特に限定はなく、それぞれの層に
含まれる正孔を輸送しやすい物質は、異なっていてもよいし、または同一であってもよい
。また、正孔輸送層２１２、２２２、２３２は、それぞれ、一種または二種以上の正孔を
輸送し易い物質を含んでいてもよい。また、正孔輸送層２１２、２２２、２３２は、それ
ぞれ、単層であってもよいし多層であってもよい。なお、正孔を輸送しやすい物質とは、
実施の形態１において述べた正孔を輸送し易い物質と同じである。
【００３７】
電子輸送層２１３、２２３、２３３は、それぞれ、電子を輸送し易い物質を含む層であ
る。電子輸送層２１３、２２３、２３３について特に限定はなく、それぞれの層に含まれ
る電子を輸送しやすい物質は、異なっていてもよいし、または同一であってもよい。また
、電子輸送層２１３、２２３、２３３は、それぞれ、一種または二種以上の電子を輸送し
易い物質を含んでいてもよい。また、電子輸送層２１３、２２３、２３３は、それぞれ、
単層であってもよいし多層であってもよい。なお、電子を輸送しやすい物質とは、実施の
形態１において述べた電子を輸送し易い物質と同じである。
【００３８】
また、第１の発光層２１１、第２の発光層２２１、第３の発光層２３１は、それぞれ、
発光物質を含む。ここで、発光物質は、実施の形態１において説明した物質と同じであり
、実施の形態１で示したものを用いることができる。また、第１の発光層２１１、第２の
発光層２２１、第３の発光層２３１のそれぞれの発光層に含まれる発光物質は、それぞれ
異なっていてもよい。また、第１の発光層２１１、第２の発光層２２１および第３の発光
層２３１について特に限定はなく、それぞれの層は独立に、一種の物質から成る層であっ
てもよいし、または複数種の物質が混合して成る層であってもよい。例えば、第１の発光
層２１１、第２の発光層２２１、第３の発光層２３１において、いずれか一若しくは二以
上の発光層が発光物質のみから成る層であってもよいし、または、いずれか一若しくは二
以上の発光層が発光物質とその他の物質とが混合して成る層であってもよい。発光物質と
組み合わせて用いられる物質としては、発光物質のエネルギーギャップよりも大きいエネ
ルギーギャップを有する物質であることが好ましい。ここでエネルギーギャップとはＬＵ
ＭＯ準位とＨＯＭＯ準位との間のエネルギーギャップを言う。
【００３９】
なお、第１の発光層２１１、第２の発光層２２１、第３の発光層２３１の中で、いずれ
か一の発光層が赤色系の発光を呈し、いずれか一の発光層が緑色系の発光を呈し、いずれ
か一の発光層が青色系の発光を呈するとき、発光素子から射出する発光は白色の発光とし
て視認される。ここで、第１の電極２０１と第２の電極２０２との光の反射率が異なり、
さらに、それぞれの発光層における発光の発光スペクトルのピーク波長が異なるとき、ピ
ーク波長の値が小さい発光層程、反射率の大きい電極に近くなるようにそれぞれの発光層
を設けることが好ましい。なお、ピーク波長とは、複数のピークを有する発光スペクトル
においては発光強度のもっとも大きいピークを示す波長をいう。例えば、第１の電極２０
１がインジウム錫酸化物等で形成されていて可視光を透過し易く、第２の電極２０２がア
ルミニウム等で形成されていて光を反射し易いときは、第１の電極２０１に最も近い第１
の発光層２１１が赤色系の発光を呈する発光層であり、第２の電極２０２に最も近い第３
の発光層２３１が青色系の発光を呈する発光層であることが好ましい。これによって、発
光した光が第２の電極２０２において反射することによって生じ得る、光の干渉を低減す
ることができる。
【００４０】
以上に説明した本発明の発光素子は、モリブデン酸化物のような吸水性の低い物質を用
いて作製されている為、水分の混入に起因した発光素子の劣化が少ない。また、本実施例
の発光素子は、白色の発光を呈することがでる。さらに、本実施例の発光素子は、発光し
た光と反射光との干渉が少ない為、発光した光の色度の調整をし易い。
【００４１】
（実施の形態３）
実施の形態１または実施の形態２において説明した本発明の発光素子は、表示機能を有
する発光装置の画素部や、照明機能を有する発光装置の照明部に適用することができる。
【００４２】
本形態では、表示機能を有する発光装置の回路構成および駆動方法について図３〜６を
用いて説明する。
【００４３】
図３は本発明を適用した発光装置を上面からみた模式図である。図３において、基板６
５００上には、画素部６５１１と、ソース信号線駆動回路６５１２と、書込用ゲート信号
線駆動回路６５１３と、消去用ゲート信号線駆動回路６５１４とが設けられている。ソー
ス信号線駆動回路６５１２と、書込用ゲート信号線駆動回路６５１３と、消去用ゲート信
号線駆動回路６５１４とは、それぞれ、配線群を介して、外部入力端子であるＦＰＣ（フ
レキシブルプリントサーキット）６５０３と接続している。そして、ソース信号線駆動回
路６５１２と、書込用ゲート信号線駆動回路６５１３と、消去用ゲート信号線駆動回路６
５１４とは、それぞれ、ＦＰＣ６５０３からビデオ信号、クロック信号、スタート信号、
リセット信号等を受け取る。またＦＰＣ６５０３にはプリント配線基盤（ＰＷＢ）６５０
４が取り付けられている。なお、駆動回路部は、上記のように必ずしも画素部６５１１と
同一基板上に設けられている必要はなく、例えば、配線パターンが形成されたＦＰＣ上に
ＩＣチップを実装したもの（ＴＣＰ）等を利用し、基板外部に設けられていてもよい。
【００４４】
画素部６５１１には、列方向に延びた複数のソース信号線が行方向に並んで配列してい
る。また、電流供給線が行方向に並んで配列している。また、画素部６５１１には、行方
向に延びた複数のゲート信号線が列方向に並んで配列している。また画素部６５１１には
、発光素子を含む一組の回路が複数配列している。
【００４５】
図４は、一画素を動作するための回路を表した図である。図４に示す回路には、第１の
トランジスタ９０１と第２のトランジスタ９０２と発光素子９０３とが含まれている。
【００４６】
第１のトランジスタ９０１と、第２のトランジスタ９０２とは、それぞれ、ゲート電極
と、ドレイン領域と、ソース領域とを含む三端子の素子であり、ドレイン領域とソース領
域の間にチャネル領域を有する。ここで、ソース領域とドレイン領域とは、トランジスタ
の構造や動作条件等によって変わるため、いずれがソース領域またはドレイン領域である
かを限定することが困難である。そこで、本形態においては、ソースまたはドレインとし
て機能する領域を、それぞれ第１電極、第２電極と表記する。
【００４７】
ゲート信号線９１１と、書込用ゲート信号線駆動回路９１３とはスイッチ９１８によっ
て電気的に接続または非接続の状態になるように設けられている。また、ゲート信号線９
１１と、消去用ゲート信号線駆動回路９１４とはスイッチ９１９によって電気的に接続ま
たは非接続の状態になるように設けられている。また、ソース信号線９１２は、スイッチ
９２０によってソース信号線駆動回路９１５または電源９１６のいずれかに電気的に接続
するように設けられている。そして、第１のトランジスタ９０１のゲートはゲート信号線
９１１に電気的に接続している。また、第１のトランジスタの第１電極はソース信号線９
１２に電気的に接続し、第２電極は第２のトランジスタ９０２のゲート電極と電気的に接
続している。第２のトランジスタ９０２の第１電極は電流供給線９１７と電気的に接続し
、第２電極は発光素子９０３に含まれる一の電極と電気的に接続している。なお、スイッ
チ９１８は、書込用ゲート信号線駆動回路９１３に含まれていてもよい。またスイッチ９
１９についても消去用ゲート信号線駆動回路９１４の中に含まれていてもよい。また、ス
イッチ９２０についてもソース信号線駆動回路９１５の中に含まれていてもよい。
【００４８】
また画素部におけるトランジスタや発光素子等の配置について特に限定はないが、例え
ば図５の上面図に表すように配置することができる。図５において、第１のトランジスタ
１００１の第１電極はソース信号線１００４に接続し、第２の電極は第２のトランジスタ
１００２のゲート電極に接続している。また第２トランジスタの第１電極は電流供給線１
００５に接続し、第２電極は発光素子の電極１００６に接続している。ゲート信号線１０
０３の一部は第１のトランジスタ１００１のゲート電極として機能する。
【００４９】
次に、駆動方法について説明する。図６は時間経過に伴ったフレームの動作について説
明する図である。図６において、横方向は時間経過を表し、縦方向はゲート信号線の走査
段数を表している。
【００５０】
本発明の発光装置を用いて画像表示を行うとき、表示期間においては、画面の書き換え
動作と表示動作とが繰り返し行われる。この書き換え回数について特に限定はないが、画
像をみる人がちらつき（フリッカ）を感じないように少なくとも１秒間に６０回程度とす
ることが好ましい。ここで、一画面（１フレーム）の書き換え動作と表示動作を行う期間
を１フレーム期間という。
【００５１】
１フレームは、図６に示すように、書き込み期間５０１ａ、５０２ａ、５０３ａ、５０
４ａと保持期間５０１ｂ、５０２ｂ、５０３ｂ、５０４ｂとを含む４つのサブフレーム５
０１、５０２、５０３、５０４に時分割されている。発光するための信号を与えられた発
光素子は、保持期間において発光状態となっている。各々のサブフレームにおける保持期
間の長さの比は、第１のサブフレーム５０１：第２のサブフレーム５０２：第３のサブフ
レーム５０３：第４のサブフレーム５０４＝２3：２2：２1：２0＝８：４：２：１となっ
ている。これによって４ビット階調を表現することができる。但し、ビット数及び階調数
はここに記すものに限定されず、例えば８つのサブフレームを設け８ビット階調を行える
ようにしてもよい。
【００５２】
１フレームにおける動作について説明する。まず、サブフレーム５０１において、１行
目から最終行まで順に書き込み動作が行われる。従って、行によって書き込み期間の開始
時間が異なる。書き込み期間５０１ａが終了した行から順に保持期間５０１ｂへと移る。
当該保持期間において、発光するための信号を与えられている発光素子は発光状態となっ
ている。また、保持期間５０１ｂが終了した行から順に次のサブフレーム５０２へ移り、
サブフレーム５０１の場合と同様に１行目から最終行まで順に書き込み動作が行われる。
以上のような動作を繰り返し、サブフレーム５０４の保持期間５０４ｂ迄終了する。サブ
フレーム５０４における動作を終了したら次のフレームへ移る。このように、各サブフレ
ームにおいて発光した時間の積算時間が、１フレームにおける各々の発光素子の発光時間
となる。この発光時間を発光素子ごとに変えて一画素内で様々に組み合わせることによっ
て、明度および色度の異なる様々な表示色を形成することができる。
【００５３】
サブフレーム５０４のように、最終行目までの書込が終了する前に、既に書込を終え、
保持期間に移行した行における保持期間を強制的に終了させたいときは、保持期間５０４
ｂの後に消去期間５０４ｃを設け、強制的に非発光の状態となるように制御することが好
ましい。そして、強制的に非発光状態にした行については、一定期間、非発光の状態を保
つ（この期間を非発光期間５０４ｄとする。）。そして、最終行目の書込期間が終了した
ら直ちに、一行目から順に次の（またはフレーム）の書込期間に移行する。これによって
、サブフレーム５０４の書き込み期間と、その次のサブフレームの書き込み期間とが重畳
することを防ぐことができる。
【００５４】
なお、本実施例では、サブフレーム５０１乃至５０４は保持期間の長いものから順に並
んでいるが、必ずしも本実施例のような並びにする必要はなく、例えば保持期間の短いも
のから順に並べられていてもよいし、または保持期間の長いものと短いものとがランダム
に並んでいてもよい。また、サブフレームは、さらに複数のフレームに分割されていても
よい。つまり、同じ映像信号を与えている期間、ゲート信号線の走査を複数回行ってもよ
い。
【００５５】
ここで、書込期間および消去期間における、図４で示す回路の動作について説明する。
【００５６】
まず書込期間における動作について説明する。書込期間において、ｘ行目（ｘは自然数
）のゲート信号線９１１は、スイッチ９１８を介して書込用ゲート信号線駆動回路９１３
と電気的に接続し、消去用ゲート信号線駆動回路９１４とは非接続である。また、ソース
信号線９１２はスイッチ９２０を介してソース信号線駆動回路と電気的に接続している。
ここで、ｘ行目（ｘは自然数）のゲート信号線９１１に接続した第１のトランジスタ９０
１のゲートに信号が入力され、第１のトランジスタ９０１はオンとなる。そして、この時
、１列目から最終列目迄のソース信号線に同時に映像信号が入力される。なお、各列のソ
ース信号線９１２から入力される映像信号は互いに独立したものである。ソース信号線９
１２から入力された映像信号は、各々のソース信号線に接続した第１のトランジスタ９０
１を介して第２のトランジスタ９０２のゲート電極に入力される。この時第２のトランジ
スタ９０２に入力された信号によって、発光素子９０３は発光または非発光が決まる。例
えば、第２のトランジスタ９０２がＰチャネル型である場合は、第２のトランジスタ９０
２のゲート電極にＬｏｗ  Ｌｅｖｅｌの信号が入力されることによって発光素子９０３が
発光する。一方、第２のトランジスタ９０２がＮチャネル型である場合は、第２のトラン
ジスタ９０２のゲート電極にＨｉｇｈ  Ｌｅｖｅｌの信号が入力されることによって発光
素子９０３が発光する。
【００５７】
次に消去期間における動作について説明する。消去期間において、ｘ行目（ｘは自然数
）のゲート信号線９１１は、スイッチ９１９を介して消去用ゲート信号線駆動回路９１４
と電気的に接続し、書込用ゲート信号線駆動回路９１３とは非接続である。また、ソース
信号線９１２はスイッチ９２０を介して電源９１６と電気的に接続している。ここで、ｘ
行目のゲート信号線９１１に接続した第１のトランジスタ９０１のゲートに信号が入力さ
れ、第１のトランジスタ９０１はオンとなる。そして、この時、１列目から最終列目迄の
ソース信号線に同時に消去信号が入力される。ソース信号線９１２から入力された消去信
号は、各々のソース信号線に接続した第１のトランジスタ９０１を介して第２のトランジ
スタ９０２のゲート電極に入力される。この時第２のトランジスタ９０２に入力された信
号によって、電流供給線９１７から発光素子９０３への電流の供給が阻止される。そして
、発光素子９０３は強制的に非発光となる。例えば、第２のトランジスタ９０２がＰチャ
ネル型である場合は、第２のトランジスタ９０２のゲート電極にＨｉｇｈ  Ｌｅｖｅｌの
信号が入力されることによって発光素子９０３は非発光となる。一方、第２のトランジス
タ９０２がＮチャネル型である場合は、第２のトランジスタ９０２のゲート電極にＬｏｗ
Ｌｅｖｅｌの信号が入力されることによって発光素子９０３は非発光となる。
【００５８】
なお、消去期間では、ｘ行目（ｘは自然数）については、以上に説明したような動作に
よって消去する為の信号を入力する。しかし、前述のように、ｘ行目が消去期間であると
共に、他の行（ｙ行目（ｙは自然数）とする。）については書込期間となる場合がある。
このような場合、同じ列のソース信号線を利用してｘ行目には消去の為の信号を、ｙ行目
には書込の為の信号を入力する必要があるため、以下に説明するような動作させることが
好ましい。
【００５９】
先に説明した消去期間における動作によって、ｎ行目の発光素子９０３が非発光となっ
た後、直ちに、ゲート信号線９１１と消去用ゲート信号線駆動回路９１４とを非接続の状
態とすると共に、スイッチ９２０を切り替えてソース信号線９１２とソース信号線駆動回
路９１５と接続させる。そして、ソース信号線とソース信号線駆動回路９１５とを接続さ
せる共に、ゲート信号線９１１と書込用ゲート信号線駆動回路９１３とを接続させる。そ
して、書込用ゲート信号線駆動回路９１３からｍ行目の信号線に選択的に信号が入力され
、第１のトランジスタがオンすると共に、ソース信号線駆動回路９１５からは、１列目か
ら最終列目迄のソース信号線に書込の為の信号が入力される。この信号によって、ｍ行目
の発光素子は、発光または非発光となる。
【００６０】
以上のようにしてｍ行目について書込期間を終えたら、直ちに、ｎ＋１行目の消去期間
に移行する。その為に、ゲート信号線９１１と書込用ゲート信号線駆動回路９１３を非接
続とすると共に、スイッチ９２０を切り替えてソース信号線を電源９１６と接続する。ま
た、ゲート信号線９１１と書込用ゲート信号線駆動回路９１３を非接続とすると共に、ゲ
ート信号線９１１については、消去用ゲート信号線駆動回路９１４と接続状態にする。そ
して、消去用ゲート信号線駆動回路９１４からｎ＋１行目のゲート信号線に選択的に信号
を入力して第１のトランジスタに信号をオンする共に、電源９１６から消去信号が入力さ
れる。このようにして、ｎ＋１行目の消去期間を終えたら、直ちに、ｍ＋１行目の書込期
間に移行する。以下、同様に、消去期間と書込期間とを繰り返し、最終行目の消去期間ま
で動作させればよい。
【００６１】
なお、本形態では、ｘ行目の消去期間とｘ＋１行目の消去期間との間にｙ行目の書込期
間を設ける態様について説明したが、これに限らず、ｘ−１行目の消去期間とｘ行目の消
去期間との間にｙ行目の書込期間を設けてもよい。
【００６２】
また、本形態では、サブフレーム５０４のように非発光期間５０４ｄを設けるときおい
て、消去用ゲート信号線駆動回路９１４と或る一のゲート信号線とを非接続状態にすると
共に、書込用ゲート信号線駆動回路９１３と他のゲート信号線とを接続状態にする動作を
繰り返している。このような動作は、特に非発光期間を設けないフレームにおいて行って
も構わない。
【００６３】
（実施の形態４）
本発明の発光素子を含む発光装置の断面図の一態様について、図７を用いて説明する。
【００６４】
図７において、点線で囲まれているのは、本発明の発光素子１２を駆動するために設け
られているトランジスタ１１である。発光素子１２は、第１の電極１３と第２の電極１４
との間に層１５を有する本発明の発光素子である。トランジスタ１１のドレインと第１の
電極１３とは、第１層間絶縁膜１６（１６ａ、１６ｂ、１６ｃ）を貫通している配線１７
によって電気的に接続されている。また、発光素子１２は、隔壁層１８によって、隣接し
て設けられている別の発光素子と分離されている。このような構成を有する本発明の発光
装置は、本形態において、基板１０上に設けられている。
【００６５】
なお、図７に示されたトランジスタ１１は、半導体層を中心として基板と逆側にゲート
電極が設けられたトップゲート型のものである。但し、トランジスタ１１の構造について
は、特に限定はなく、例えばボトムゲート型のものでもよい。またボトムゲートの場合に
は、チャネルを形成する半導体層の上に保護膜が形成されたもの（チャネル保護型）でも
よいし、或いはチャネルを形成する半導体層の一部が凹状になったもの（チャネルエッチ
型）でもよい。
【００６６】
また、トランジスタ１１を構成する半導体層は、結晶性、非結晶性のいずれのものでも
よい。また、セミアモルファス等でもよい。
【００６７】
なお、セミアモルファスな半導体とは、次のようなものである。非晶質と結晶構造（単
結晶、多結晶を含む）の中間的な構造を有し、自由エネルギー的に安定な第３の状態を有
する半導体であって、短距離秩序を持ち格子歪みを有する結晶質な領域を含んでいるもの
である。また少なくとも膜中の一部の領域には、０．５〜２０ｎｍの結晶粒を含んでいる
。ラマンスペクトルが５２０ｃｍ-1よりも低波数側にシフトしている。Ｘ線回折ではＳｉ
結晶格子に由来するとされる（１１１）、（２２０）の回折ピークが観測される。未結合
手（ダングリングボンド）を終端させるために水素またはハロゲンを少なくとも１原子％
またはそれ以上含ませている。所謂微結晶半導体（マイクロクリスタル半導体）とも言わ
れている。珪化物気体をグロー放電分解（プラズマＣＶＤ）して形成する。珪化物気体と
しては、ＳｉＨ4、その他にもＳｉ2Ｈ6、ＳｉＨ2Ｃｌ2、ＳｉＨＣｌ3、ＳｉＣｌ4、Ｓｉ
Ｆ4などを用いることができる。この珪化物気体をＨ2、又は、Ｈ2とＨｅ、Ａｒ、Ｋｒ、
Ｎｅから選ばれた一種または複数種の希ガス元素で希釈しても良い。希釈率は２〜１００
０倍の範囲。圧力は概略０．１Ｐａ〜１３３Ｐａの範囲、電源周波数は１ＭＨｚ〜１２０
ＭＨｚ、好ましくは１３ＭＨｚ〜６０ＭＨｚ。基板加熱温度は３００℃以下でよく、好ま
しくは１００〜２５０℃、膜中の不純物元素として、酸素、窒素、炭素などの大気成分の
不純物は１×１０20／ｃｍ3以下とすることが望ましく、特に、酸素濃度は５×１０19／
ｃｍ3以下、好ましくは１×１０19／ｃｍ3以下とする。なお、セミアモルファスなものを
有する半導体を用いたＴＦＴ（薄膜トランジスタ）の移動度はおよそ１〜１０ｃｍ2／Ｖ
ｓｅｃとなる。
【００６８】
また、半導体層が結晶性のものの具体例としては、単結晶または多結晶性の珪素、或い
はシリコンゲルマニウム等から成るものが挙げられる。これらはレーザー結晶化によって
形成されたものでもよいし、例えばニッケル等を用いた固相成長法による結晶化によって
形成されたものでもよい。
【００６９】
なお、半導体層が非晶質の物質、例えばアモルファスシリコンで形成される場合には、
トランジスタ１１およびその他のトランジスタ（発光素子を駆動するための回路を構成す
るトランジスタ）は全てＮチャネル型トランジスタで構成された回路を有する発光装置で
あることが好ましい。それ以外については、Ｎチャネル型またはＰチャネル型のいずれか
一のトランジスタで構成された回路を有する発光装置でもよいし、両方のトランジスタで
構成された回路を有する発光装置でもよい。
【００７０】
さらに、第１層間絶縁膜１６（１６ａ、１６ｂ、１６ｃ）は、図７（Ａ）、（Ｃ）に示
すように多層でもよいし、または単層でもよい。なお、第１層間絶縁膜１６ａは酸化珪素
や窒化珪素のような無機物から成り、第１層間絶縁膜１６ｂはアクリルやシロキサン、塗
布成膜可能な酸化珪素等の自己平坦性を有する物質から成る。さらに、第１層間絶縁膜１
６ｃはアルゴン（Ａｒ）を含む窒化珪素膜から成る。なお、各層を構成する物質について
は、特に限定はなく、ここに述べたもの以外のものを用いてもよい。また、これら以外の
物質から成る層をさらに組み合わせてもよい。このように、第１層間絶縁膜１６は、無機
物または有機物の両方を用いて形成されたものでもよいし、または無機膜と有機膜のいず
れか一で形成されたものでもよい。
【００７１】
隔壁層１８は、エッジ部において、曲率半径が連続的に変化する形状であることが好ま
しい。また隔壁層１８は、アクリルやシロキサン、レジスト、酸化珪素等を用いて形成さ
れる。なお隔壁層１８は、無機膜と有機膜のいずれか一で形成されたものでもよいし、ま
たは両方を用いて形成されたものでもよい。
【００７２】
なお、図７（Ａ）、（Ｃ）では、第１層間絶縁膜１６のみがトランジスタ１１と発光素
子１２の間に設けられた構成であるが、図７（Ｂ）のように、第１層間絶縁膜１６（１６
ａ、１６ｂ）の他、第２層間絶縁膜１９（１９ａ、１９ｂ）が設けられた構成のものであ
ってもよい。図７（Ｂ）に示す発光装置においては、第１の電極１３は第２層間絶縁膜１
９を貫通し、配線１７と接続している。
【００７３】
第２層間絶縁膜１９は、第１層間絶縁膜１６と同様に、多層でもよいし、または単層で
もよい。第２層間絶縁膜１９ａはアクリルやシロキサン（シリコン（Ｓｉ）と酸素（Ｏ）
との結合で骨格構造が構成され、アルキル基等の有機基を置換基として有する化合物）、
塗布成膜可能な酸化珪素等の自己平坦性を有する物質から成る。さらに、第２層間絶縁膜
１９ｂはアルゴン（Ａｒ）を含む窒化珪素膜から成る。なお、各層を構成する物質につい
ては、特に限定はなく、ここに述べたもの以外のものを用いてもよい。また、これら以外
の物質から成る層をさらに組み合わせてもよい。このように、第２層間絶縁膜１９は、無
機物または有機物の両方を用いて形成されたものでもよいし、または無機膜と有機膜のい
ずれか一で形成されたものでもよい。
【００７４】
発光素子１２において、第１の電極および第２の電極がいずれも透光性を有する物質で
構成されている場合、図７（Ａ）の白抜きの矢印で表されるように、第１の電極１３側と
第２の電極１４側の両方から発光を取り出すことができる。また、第２の電極１４のみが
透光性を有する物質で構成されている場合、図７（Ｂ）の白抜きの矢印で表されるように
、第２の電極１４側のみから発光を取り出すことができる。この場合、第１の電極１３は
反射率の高い材料で構成されているか、または反射率の高い材料から成る膜（反射膜）が
第１の電極１３の下方に設けられていることが好ましい。また、第１の電極１３のみが透
光性を有する物質で構成されている場合、図７（Ｃ）の白抜きの矢印で表されるように、
第１の電極１３側のみから発光を取り出すことができる。この場合、第２の電極１４は反
射率の高い材料で構成されているか、または反射膜が第２の電極１４の上方に設けられて
いることが好ましい。
【００７５】
また、発光素子１２は、第１の電極１３が陽極として機能し、第２の電極１４が陰極と
して機能する構成であってもよいし、或いは第１の電極１３が陰極として機能し、第２の
電極１４が陽極として機能する構成であってもよい。但し、前者の場合、トランジスタ１
１はＰチャネル型トランジスタであり、後者の場合、トランジスタ１１はＮチャネル型ト
ランジスタである。
【００７６】
（実施の形態５）
本発明を適用した発光装置は、耐湿性が良いため、本発明の発光装置を実装することに
よって、長期間に渡って良好な表示を行うことができる電子機器、または長期間に渡って
良好に照明することができる電化製品を得ることができる。
【００７７】
本発明を適用した発光装置を実装した電子機器の一実施例を図８に示す。
【００７８】
図８（Ａ）は、本発明を適用して作製したノート型のパーソナルコンピュータであり、
本体５５２１、筐体５５２２、表示部５５２３、キーボード５５２４などによって構成さ
れている。本発明の発光素子を有する発光装置を表示部として組み込むことでパーソナル
コンピュータを完成できる。
【００７９】
図８（Ｂ）は、本発明を適用して作製した電話機であり、本体５５５２には表示部５５
５１と、音声出力部５５５４、音声入力部５５５５、操作スイッチ５５５６、５５５７、
アンテナ５５５３等によって構成されている。本発明の発光素子を有する発光装置を表示
部として組み込むことで電話機を完成できる。
【００８０】
図８（Ｃ）は、本発明を適用して作製したテレビ受像機であり、表示部５５３１、筐体
５５３２、スピーカー５５３３などによって構成されている。本発明の発光素子を有する
発光装置を表示部として組み込むことでテレビ受像機を完成できる。
【００８１】
以上のように本発明の発光装置は、各種電子機器の表示部として用いるのに非常に適し
ている。
【００８２】
なお、本形態で説明した電子機器の他、ナビゲーション装置、録画機或いは照明機器等
の電子機器に本発明の発光素子を有する発光装置を実装しても構わない。
【実施例１】
【００８３】
本発明の一実施例について図９を用いて説明する。
【００８４】
ガラス基板３００上にインジウム錫酸化物を成膜し、インジウム錫酸化物からなる層３
０１を形成した。成膜にはスパッタリング法を用いた。また、膜厚は１１０ｎｍとなるよ
うにした。
【００８５】
次に、インジウム錫酸化物からなる層３０１の上に、α−ＮＰＤとモリブデン酸化物と
を、１：０．２５（＝α−ＮＰＤ：モリブデン酸化物）の重量比となるように、共蒸着法
によって成膜し、α−ＮＰＤとモリブデン酸化物とを含む層３０２を形成した。膜厚は５
０ｎｍとなるようにした。なお、共蒸着法とは、複数の蒸発源から同時に蒸着を行う蒸着
法である。
【００８６】
次に、α−ＮＰＤとモリブデン酸化物とを含む層３０２の上に、α−ＮＰＤを蒸着法に
よって成膜し、α−ＮＰＤからなる層３０３を形成した。膜厚は１０ｎｍとなるようにし
た。
【００８７】
次にα−ＮＰＤからなる層３０３の上に、Ａｌｑ3とルブレンとＤＣＪＴＩとを、１：
１：０．０２（＝Ａｌｑ3：ルブレン：ＤＣＪＴＩ）の重量比となるように、共蒸着法に
よって成膜し、Ａｌｑ3とルブレンとＤＣＪＴＩとを含む層３０４を形成した。膜厚は３
７．５ｎｍとなるようにした。
【００８８】
次に、Ａｌｑ3とルブレンとＤＣＪＴＩとを含む層３０４の上に、Ａｌｑ３をに蒸着法
によって成膜し、Ａｌｑ3からなる層３０５を形成した。膜厚は２７．５ｎｍとなるよう
にした。
【００８９】
次に、Ａｌｑ3からなる層３０５の上に、ＢＣＰとリチウム（Ｌｉ）とを、１：０．０
０５（＝ＢＣＰ：リチウム）の重量比となるように、共蒸着法によって成膜し、ＢＣＰと
リチウムとを含む層３０６を形成した。膜厚は１０ｎｍとなるようにした。
【００９０】
次に、ＢＣＰとリチウムとを含む層３０６の上に、α−ＮＰＤとモリブデン酸化物とを
、１：０．２５（＝α−ＮＰＤ：モリブデン酸化物）の重量比となるように、共蒸着法に
よって成膜し、α−ＮＰＤとモリブデン酸化物とを含む層３０７を形成した。膜厚は５０
ｎｍとなるようにした。
【００９１】
次に、α−ＮＰＤとモリブデン酸化物とを含む層３０７の上に、α−ＮＰＤを蒸着法に
よって成膜し、α−ＮＰＤからなる層３０８を形成した。膜厚は１０ｎｍとなるようにし
た。
【００９２】
次にα−ＮＰＤからなる層３０８の上に、Ａｌｑ3とクマリン６とを、１：０．００５
（＝Ａｌｑ3：クマリン６）の重量比となるように、共蒸着法によって成膜し、Ａｌｑ3と
クマリン６とを含む層３０９を形成した。膜厚は３７．５ｎｍとなるようにした。
【００９３】
次に、Ａｌｑ3とクマリンとを含む層３０９の上に、Ａｌｑ3をに蒸着法によって成膜し
、Ａｌｑ3からなる層３１０を形成した。膜厚は２７．５ｎｍとなるようにした。
【００９４】
次に、Ａｌｑ3からなる層３１０の上に、ＢＣＰとリチウム（Ｌｉ）とを、１：０．０
０５（＝ＢＣＰ：リチウム）の重量比となるように、共蒸着法によって成膜し、ＢＣＰと
リチウムとを含む層３１１を形成した。膜厚は１０ｎｍとなるようにした。
【００９５】
次に、ＢＣＰとリチウムとを含む層３１１の上に、α−ＮＰＤとモリブデン酸化物とを
、１：０．２５（＝α−ＮＰＤ：モリブデン酸化物）の重量比となるように、共蒸着法に
よって成膜し、α−ＮＰＤとモリブデン酸化物とを含む層３１２を形成した。膜厚は５０
ｎｍとなるようにした。
【００９６】
次に、α−ＮＰＤとモリブデン酸化物とを含む層３１２の上に、α−ＮＰＤを蒸着法に
よって成膜し、α−ＮＰＤからなる層３１３を形成した。膜厚は１０ｎｍとなるようにし
た。
【００９７】
次に、α−ＮＰＤからなる層３１３の上に、ｔ−ＢｕＤＮＡを蒸着法によって成膜し、
ｔ−ＢｕＤＮＡからなる層３１４を形成した。膜厚は３７．５ｎｍとなるようにした。
【００９８】
次に、ｔ−ＢｕＤＮＡからなる層３１４の上に、Ａｌｑ3をに蒸着法によって成膜し、
Ａｌｑ3からなる層３１５を形成した。膜厚は２７．５ｎｍとなるようにした。
【００９９】
次に、Ａｌｑ3からなる層３１５の上に、ＢＣＰとリチウム（Ｌｉ）とを、１：０．０
０５（＝ＢＣＰ：リチウム）の重量比となるように、共蒸着法によって成膜し、ＢＣＰと
リチウムとを含む層３１６を形成した。膜厚は１０ｎｍとなるようにした。
【０１００】
次に、ＢＣＰとリチウムとを含む層３１６の上に、アルミニウムを蒸着法によって成膜
し、アルミニウムからなる層３１７を形成した。膜厚は２００ｎｍとなるようにした。
【０１０１】
以上のようにして、作製した発光素子において、インジウム錫酸化物からなる層３０１
は陽極として機能し、アルミニウムからなる層３１７は陰極として機能する。
【０１０２】
また、α−ＮＰＤとモリブデン酸化物とを含む層３０２は、α−ＮＰＤからなる層３０
３へ正孔を注入する機能を有する。また、α−ＮＰＤとモリブデン酸化物とを含む層３０
７は、α−ＮＰＤからなる層３０８へ正孔を注入する機能を有する。また、α−ＮＰＤと
モリブデン酸化物とを含む層３１２は、α−ＮＰＤからなる層３１３へ正孔を注入する機
能を有する。
【０１０３】
α−ＮＰＤからなる層３０３は、注入された正孔をＡｌｑ3とルブレンとＤＣＪＴＩと
を含む層３０４へ輸送する機能を有する。また、α−ＮＰＤからなる層３０８は、注入さ
れた正孔をＡｌｑ3とクマリンとを含む層３０９へ輸送する機能を有する。また、α−Ｎ
ＰＤからなる層３１３は、注入された正孔をｔ−ＢｕＤＮＡからなる層３１４へ輸送し、
正孔輸送層として機能を有する。
【０１０４】
ＢＣＰとリチウムとを含む層３０６はＡｌｑ3からなる層３０５へ電子を注入する機能
を有する。また、ＢＣＰとリチウムとを含む層３１１はＡｌｑ3からなる層３１０へ電子
を注入する機能を有する。また、ＢＣＰとリチウムとを含む層３１６はＡｌｑ3からなる
層３１５へ電子を注入する機能を有する。
【０１０５】
Ａｌｑ3からなる層３０５は、注入された電子をＡｌｑ3とＤＣＪＴＩとを含む層３０４
へ輸送する機能を有する。Ａｌｑ3からなる層３１０は、注入された電子をＡｌｑ3とクマ
リンとを含む層３０９へ輸送する機能を有する。Ａｌｑ3からなる層３１５は、ＢＣＰと
リチウムとを含む層３１６から注入された電子をｔ−ＢｕＤＮＡからなる層３１４へ輸送
し、電子輸送層として機能を有する。
【０１０６】
また、α−ＮＰＤとモリブデン酸化物とを含む層３０２、３０７、３１２において、モ
リブデン酸化物は電子受容体として機能する。さらに、ＢＣＰとリチウムとを含む層３０
６、３１１、３１６において、リチウムは電子供与体として機能する。
【０１０７】
以上のような発光素子において、インジウム錫酸化物からなる層３０１とアルミニウム
からなる層３１７とに電圧を印加すると、インジウム錫酸化物からなる層３０１とアルミ
ニウムからなる層３１７との間に電流が流れる。これによってＡｌｑ3とルブレンとＤＣ
ＪＴＩとを含む層３０４は６００ｎｍから６８０ｎｍの波長域にピークを有する発光を呈
し、Ａｌｑ3とクマリンとを含む層３０９は５００ｎｍから５５０ｎｍの波長域にピーク
を有する発光を呈し、ｔ−ＢｕＤＮＡからなる層３１４は４２０ｎｍから４８０ｎｍの波
長域にピークを有する発光を呈する。そして、これらの発光は、インジウム錫酸化物から
なる層３０１を通って外部に出射する。また、以上の記載からも分かるように、本実施例
の発光素子では、６００ｎｍから６８０ｎｍの長い波長の発光を呈する層よりも４２０ｎ
ｍから４８０ｎｍの短い波長の発光を呈する層が、アルミニウムからなる層３１５のよう
な反射率の高い層に近くなるように設けられている。この為、発光した光と、発光した光
がアルミニウムからなる層３１７によって反射して生じた反射光との干渉を低減すること
ができる。
【０１０８】
本実施例で作製した発光素子を発光させたときの発光スペクトルを図１０に示す。図１
０において横軸は波長（ｎｍ）を、縦軸は発光強度（任意単位）を表す。図１０から、本
実施例で作製した発光素子は、４５０ｎｍから６２０ｎｍの波長域において発光している
ことが分かる。また、０．９７９ｍＡにおけるＣＩＥ色度座標は（ｘ、ｙ）＝（０．３３
，０．４６）であった。このことから、本実施例で作製した発光素子は、白色の発光を呈
するものであることが分かった。
【０１０９】
以上のような本実施例の発光素子は、モリブデン酸化物のような吸水性の低い物質を用
いて作製されている為、水分の混入に起因した発光素子の劣化が少ない。また、本実施例
の発光素子は、白色の発光を呈することがでる。さらに、本実施例の発光素子は、発光し
た光と反射光との干渉が少ない為、発光した光の色度の調整をし易い。
【実施例２】
【０１１０】
本実施例では、モリブデン酸化物が、α−ＮＰＤに対し、電子受容性の物質として作用
しているかについて調べた実験結果を示す。
【０１１１】
実験としては、α−ＮＰＤとモリブデン酸化物とを含む層３０２と同様の構成の薄膜（
Ａ）、モリブデン酸化物からなる薄膜（Ｂ）、α−ＮＰＤからなる薄膜（Ｃ）の３種類の
薄膜を真空蒸着によりガラス基板上に形成し、それぞれの透過スペクトルを比較した。
【０１１２】
実験結果を図１１に示す。横軸が波長、縦軸が透過率である。図１１に示す通り、α−
ＮＰＤとモリブデン酸化物とを含む層３０２（実施例１に記載）と同様の構成の薄膜（Ａ
）は、モリブデン酸化物からなる薄膜（Ｂ）やα−ＮＰＤからなる薄膜（Ｃ）には見られ
ないブロードなピークが５００ｎｍ付近（図中、破線で囲まれた領域）に見られる。これ
は、モリブデン酸化物がα−ＮＰＤから電子を受け取る電子移動により新たに生じたエネ
ルギー準位であると考えられる。このことから、モリブデン酸化物がα−ＮＰＤに対して
電子受容性を示していることがわかった。
【符号の説明】
【０１１３】
１０１    第１の電極
１０２    第２の電極
１０３    第１の層
１０４    第２の層
１１１    第１の発光層
１２１    第２の発光層
２０１    第１の電極
２０２    第２の電極
２０３    第１の層
２０５    第１の層
２０７    第１の層
２０４    第２の層
２０６    第２の層
２０８    第２の層
２１１    第１の発光層
２２１    第２の発光層
２３１    第３の発光層
２１２    正孔輸送層
２２２    正孔輸送層
２３２    正孔輸送層
２１３    電子輸送層
２２３    電子輸送層
２３３    電子輸送層
６５００    基板
６５０３    ＦＰＣ
６５０４    プリント配線基盤（ＰＷＢ）
６５１１    画素部
６５１２    ソース信号線駆動回路
６５１３    書込用ゲート信号線駆動回路
６５１４    消去用ゲート信号線駆動回路
９０１    第１のトランジスタ
９０２    第２のトランジスタ
９０３    発光素子
９１１    ゲート信号線
９１２    ソース信号線
９１３    書込用ゲート信号線駆動回路
９１４    消去用ゲート信号線駆動回路
９１５    ソース信号線駆動回路
９１６    電源
９１７    電流供給線
９１８    スイッチ
９１９    スイッチ
９２０    スイッチ
１００１    第１のトランジスタ
１００２    第２のトランジスタ
１００３    ゲート信号線
１００４    ソース信号線
１００５    電流供給線
１００６    電極
５０１    サブフレーム
５０２    サブフレーム
５０３    サブフレーム
５０４    サブフレーム
５０１ａ    書き込み期間
５０１ｂ    保持期間
５０２ａ    書き込み期間
５０２ｂ    保持期間
５０３ａ    書き込み期間
５０３ｂ    保持期間
５０４ａ    書き込み期間
５０４ｂ    保持期間
５０４ｃ    消去期間
５０４ｄ    非発光期間
１０    基板
１１    トランジスタ
１２    発光素子
１３    第１の電極
１４    第２の電極
１５    層
１６    第１層間絶縁膜
１６ａ    第１層間絶縁膜
１６ｂ    第１層間絶縁膜
１６ｃ    第１層間絶縁膜
１７    配線
１８    隔壁層
１９    第２層間絶縁膜
５５２１    本体
５５２２    筐体
５５２３    表示部
５５２４    キーボード
５５５１    表示部
５５５２    本体
５５５３    アンテナ
５５５４    音声出力部
５５５５    音声入力部
５５５６    操作スイッチ
５５３１    表示部
５５３２    筐体
５５３３    スピーカー
３００    基板
３０１    層
３０２    層
３０３    層
３０４    層
３０５    層
３０６    層
３０７    層
３０８    層
３０９    層
３１０    層
３１１    層
３１２    層
３１３    層
３１４    層
３１５    層
３１６    層
３１７    層
【図１】
2010192465.tif 000003
【図２】
2010192465.tif 000004
【図３】
2010192465.tif 000005
【図４】
2010192465.tif 000006
【図５】
2010192465.tif 000007
【図６】
2010192465.tif 000008
【図７】
2010192465.tif 000009
【図８】
2010192465.tif 000010
【図９】
2010192465.tif 000011
【図１０】
2010192465.tif 000012
【図１１】
2010192465.tif 000013